(57)【要約】      （修正有）【課題】有料デジタル放送において画面の部分的遮蔽処理を行った際に再生画像を損なうことなく、かつ伝送すべきデータストリーム量の縮減可能な映像配信システム並びに映像配信方法を提供する。【解決手段】遮蔽処理の施された映像信号について圧縮率の高い圧縮符号化処理を施す第１圧縮符号化手段と、該圧縮符号化処理が施された映像信号と入力映像信号との差分信号を抽出する減算手段と、該差分信号について圧縮率の低い圧縮符号化処理を施す第２圧縮符号化手段と、第２圧縮符号化手段からの出力信号に所定の暗号化処理を施す暗号化手段とを設け、第１圧縮符号化手段からの出力信号に暗号化処理が施された信号を重畳して送信する。【選択図】図１
2006121566.tif 000002
【特許請求の範囲】
【請求項１】
入力映像信号に含まれるフレーム画面の各々の一部が所定パターン画面となるように前記入力映像信号を遮蔽処理する遮蔽処理手段と、
該遮蔽処理の施された映像信号について圧縮率の高い圧縮符号化処理を施す第１圧縮符号化手段と、
該圧縮符号化処理が施された映像信号と前記入力映像信号との差分信号を抽出する減算手段と、
前記差分信号について圧縮率の低い圧縮符号化処理を施す第２圧縮符号化手段と、
前記第２圧縮符号化手段からの出力信号に所定の暗号化処理を施す暗号化手段とを含み、
前記第１圧縮符号化手段からの出力信号に前記暗号化処理が施された信号を重畳して送信することを特徴とする映像信号送信装置。
【請求項２】
前記所定パターン画面は、均一色画面であることを特徴とする請求項１に記載の映像信号送信装置。
【請求項３】
前記所定パターン画面は、着色の異なる隣接小画面の組み合わせから成るモザイク画面であることを特徴とする請求項１に記載の映像信号送信装置。
【請求項４】
請求項１に記載の映像信号送信装置からの送信信号を受信して該受信信号に含まれる高圧縮符号化処理を施された映像信号について伸長復号化処理を施す第１復号化手段と、
前記受信信号に含まれる暗号化並びに低圧縮符号化処理を施された映像信号について暗号復号化処理並びに伸長復号化処理を施す第２復号化手段と、
前記第１及び第２復号化手段のそれぞれの出力信号を加算する加算手段と、を含むことを特徴とする映像信号受信装置。
【請求項５】
入力映像信号に含まれるフレーム画面の各々の一部が所定パターン画面となるように前記入力映像信号を遮蔽処理する遮蔽処理手段と、該遮蔽処理の施された映像信号について圧縮率の高い圧縮符号化処理を施す第１圧縮符号化手段と、該圧縮符号化処理が施された映像信号と前記入力映像信号との差分信号を抽出する減算手段と、前記差分信号について圧縮率の低い圧縮符号化処理を施す第２圧縮符号化手段と、前記第２圧縮符号化手段からの出力信号に所定の暗号化処理を施す暗号化手段とを含み、前記第１圧縮符号化手段からの出力信号に前記暗号化処理が施された信号を重畳して送信することを特徴とする映像信号送信装置と、
前記映像信号送信装置からの送信信号を受信して該受信信号に含まれる高圧縮符号化処理を施された映像信号について伸長復号化処理を施す第１復号化手段と、前記受信信号に含まれる暗号化並びに低圧縮符号化処理を施された映像信号について暗号復号化処理並びに伸長復号化処理を施す第２復号化手段と、前記第１及び第２復号化手段のそれぞれの出力信号を加算する加算手段とを含むことを特徴とする映像信号受信装置と、から成る映像信号の配信システム。
【請求項６】
入力映像信号に含まれるフレーム画面の各々の一部が所定パターン画面となるように前記入力映像信号に遮蔽処理を施すステップと、
前記遮蔽処理の施された映像信号について圧縮率の高い圧縮符号化処理を施すステップと、
該圧縮符号化処理が施された映像信号と前記入力映像信号との差分信号を抽出するステップと、
前記差分信号について圧縮率の低い圧縮符号化処理を施すステップと、
前記圧縮率の低い圧縮符号化処理が施された信号に所定の暗号化処理を施すステップと、
前記高圧縮符号化処理が施された信号に前記暗号化処理が施された信号を重畳して送信するステップと、を含むことを特徴とする映像信号送信方法。
【請求項７】
請求項６に記載の映像信号送信方法によって送信された送信信号を受信して該受信信号に含まれる高圧縮符号化処理を施された映像信号について伸長復号化処理を施す第１復号化ステップと、
前記受信信号に含まれる暗号化並びに低圧縮符号化処理を施された映像信号について暗号復号化処理並びに伸長復号化処理を施す第２復号化ステップと、
前記第１及び第２復号化ステップの処理を施された各々の信号を加算するステップと、を含むことを特徴とする映像信号受信方法。
【請求項８】
入力映像信号に含まれるフレーム画面の各々の一部が所定パターン画面となるように前記入力映像信号に遮蔽処理を施すステップと、前記遮蔽処理の施された映像信号について圧縮率の高い圧縮符号化処理を施すステップと、該圧縮符号化処理が施された映像信号と前記入力映像信号との差分信号を抽出するステップと、前記差分信号について圧縮率の低い圧縮符号化処理を施すステップと、前記圧縮率の低い圧縮符号化処理が施された信号に所定の暗号化処理を施すステップと、前記高圧縮符号化処理が施された信号に前記暗号化処理が施された信号を重畳して送信するステップとを含むことを特徴とする映像信号送信方法と、
前記映像信号送信方法によって送信された送信信号を受信して該受信信号に含まれる高圧縮符号化処理を施された映像信号について伸長復号化処理を施す第１復号化ステップと、前記受信信号に含まれる暗号化並びに低圧縮符号化処理を施された映像信号について暗号復号化処理並びに伸長復号化処理を施す第２復号化ステップと、前記第１及び第２復号化ステップの処理を施された各々の信号を加算するステップとを含むことを特徴とする映像信号受信方法と、から成る映像信号の配信方法。
【請求項９】
コンピュータに、入力映像信号に含まれるフレーム画面の各々の一部が所定パターン画面となるように前記入力映像信号について遮蔽処理を施す機能と、
前記遮蔽処理の施された映像信号について圧縮率の高い圧縮符号化処理を施す機能と、
該圧縮符号化処理が施された映像信号と前記入力映像信号との差分信号を抽出する機能と、
前記差分信号について圧縮率の低い圧縮符号化処理を施す機能と、
前記圧縮率の低い圧縮符号化処理が施された信号に所定の暗号化処理を施す機能と、
前記高圧縮符号化処理が施された信号に前記暗号化処理が施された信号を重畳して送信する機能と、を実現させるプログラム。
【請求項１０】
コンピュータに、請求項９のプログラムによって実現された送信信号を受信して該受信信号に含まれる高圧縮符号化処理を施された映像信号について伸長復号化処理を施す第１復号化機能と、
前記受信信号に含まれる暗号化並びに低圧縮符号化処理を施された映像信号について暗号復号化処理並びに伸長復号化処理を施す第２復号化機能と、
前記第１及び第２復号化機能の処理を施された各々の信号を加算する機能と、を実現させるプログラム。
【発明の詳細な説明】
【技術分野】
【０００１】
本発明は、例えば、各種のデジタル放送やＣＡＴＶ等の放送媒体で実施されている有料放送における映像信号配信システム並びに映像信号配信方法等に関する。
【背景技術】
【０００２】
近年、地上波放送や衛星放送、或いはＣＡＴＶ等の各種放送媒体において、視聴契約を結んだ視聴者にのみ放送番組を提供する有料デジタル放送が普及しつつある。これらの有料デジタル放送では、放送事業者と視聴契約を結んでいない未契約視聴者の契約加入へのモチベーションを高めるべく、未契約視聴者に対しても短時間の無料放送時間を設けたり、或いは、有料放送番組のコンテンツを不鮮明画像で未契約視聴者に配信するなどのサービスが行われている。
【０００３】
従来、未契約視聴者に対する不鮮明画像の配信に関しては、例えば、特許文献１などの公知文献に示されるような方式が用いられている。同公知文献に開示された技術は、画像信号のデコード規格等を定めたＭＰＥＧ−２（ＩＳＯ／ＩＥＣ１３８１８−２）で規定された３つの階層構造（空間、ＳＮＲ、時間）のうち、空間スケーラビリティを利用して有料放送番組のコンテンツについての不鮮明画像を生成している。同方式では、放送番組の送信側において画像符号化時に著作権を保護すべき対象のビットストリームの一部にスクランブルをかけ、視聴権を有する視聴者の画像復号装置では所定のデスクランブル処理によって正常な画像再生が為されるが、視聴権を持たない視聴者の画像復号装置ではかかるスクランブルが解けず画像の概要が認識できるのみとなる。
【０００４】
つまり、同方式では空間スケーラビリティの基本レイヤにおいて、いわゆる無料ストリームのデータ列が生成され、その拡張レイヤにおいてスクランブルの施された有料ストリームのデータ列が生成される。そして、かかる無料ストリームと有料ストリームが地上波や衛星波、或いはケーブル等の伝送媒体上で多重されて、放送番組の提供事業者から各々の視聴者に配信され、視聴権を有する視聴者のみが所定の復号キーによって有料ストリームの符号化部分を復号し得る構成をとっている。
【０００５】
しかしながら、従来方式では、それぞれがデータ量の多い無料ストリームと有料ストリームとを併せて伝送する必要があるため、伝送媒体上に多重すべきデータ量が増加するという欠点があった。また、空間スケーラビリティにより処理を行うためスクランブルやデスクランブルの際に、例えば、アップサンプリング器やダウンサンプリング器等の回路を必要とし、画像符号化／復号化装置の構成が複雑となるという欠点もあった。
【０００６】
さらに、従来方式において画面の一部のみにマスク等の遮蔽処理を施して視聴権の無い視聴者には重要な映像を見せず、視聴権の有る視聴者には全画面を見せると言う画面の部分的遮蔽を行う場合、例えば、見せたくない部分をデコード後にＯＳＤ（Ｏｎ  Ｓｃｒｅｅｎ  Ｄｉｓｐｌａｙ）等で遮蔽する処理や、見せる部分と見せたくない部分とを別々にエンコードしてデコード後にこれらを合成する等の処理が為されていた。しかしながら、前者の方法では遮蔽が不十分となってコンテンツ保護の観点から問題があり、また、後者の方法では合成後の遮蔽部と非遮蔽部との境界線が目立って再生画像が損なわれると言う欠点があった。
【特許文献１】特開２００１−２５８００４号公報
【発明の開示】
【発明が解決しようとする課題】
【０００７】
本発明が解決しようとする課題には、有料デジタル放送において画面の部分的遮蔽処理を行った際に再生画像を損なうことなく、かつ伝送すべきデータストリーム量の縮減可能な映像配信システム並びに映像配信方法の提供が一例として挙げられる。
【課題を解決するための手段】
【０００８】
請求項１に記載の発明は映像信号送信装置であって、入力映像信号に含まれるフレーム画面の各々の一部が所定パターン画面となるように前記入力映像信号を遮蔽処理する遮蔽処理手段と、該遮蔽処理の施された映像信号について圧縮率の高い圧縮符号化処理を施す第１圧縮符号化手段と、該圧縮符号化処理が施された映像信号と前記入力映像信号との差分信号を抽出する減算手段と、前記差分信号について圧縮率の低い圧縮符号化処理を施す第２圧縮符号化手段と、前記第２圧縮符号化手段からの出力信号に所定の暗号化処理を施す暗号化手段とを含み、前記第１圧縮符号化手段からの出力信号に前記暗号化処理が施された信号を重畳して送信することを特徴とする。
【０００９】
請求項４に記載の発明は映像信号受信装置であって、請求項１に記載の映像信号送信装置からの送信信号を受信して該受信信号に含まれる高圧縮符号化処理を施された映像信号について伸長復号化処理を施す第１復号化手段と、前記受信信号に含まれる暗号化並びに低圧縮符号化処理を施された映像信号について暗号復号化処理並びに伸長復号化処理を施す第２復号化手段と、前記第１及び第２復号化手段のそれぞれの出力信号を加算する加算手段とを含むことを特徴とする。
【００１０】
請求項６に記載の発明は映像信号送信方法であって、入力映像信号に含まれるフレーム画面の各々の一部が所定パターン画面となるように前記入力映像信号に遮蔽処理を施すステップと、前記遮蔽処理の施された映像信号について圧縮率の高い圧縮符号化処理を施すステップと、該圧縮符号化処理が施された映像信号と前記入力映像信号との差分信号を抽出するステップと、前記差分信号について圧縮率の低い圧縮符号化処理を施すステップと、前記圧縮率の低い圧縮符号化処理が施された信号に所定の暗号化処理を施すステップと、前記高圧縮符号化処理が施された信号に前記暗号化処理が施された信号を重畳して送信するステップとを含むことを特徴とする。
【００１１】
請求項７に記載の発明は映像信号受信方法であって、請求項６に記載の映像信号送信方法によって送信された送信信号を受信して該受信信号に含まれる高圧縮符号化処理を施された映像信号について伸長復号化処理を施す第１復号化ステップと、前記受信信号に含まれる暗号化並びに低圧縮符号化処理を施された映像信号について暗号復号化処理並びに伸長復号化処理を施す第２復号化ステップと、前記第１及び第２復号化ステップの処理を施された各々の信号を加算するステップとを含むことを特徴とする。
【００１２】
請求項９に記載の発明はコンピュータプログラムに関する発明であって、コンピュータに、入力映像信号に含まれるフレーム画面の各々の一部が所定パターン画面となるように前記入力映像信号について遮蔽処理を施す機能と、前記遮蔽処理の施された映像信号について圧縮率の高い圧縮符号化処理を施す機能と、該圧縮符号化処理が施された映像信号と前記入力映像信号との差分信号を抽出する機能と、前記差分信号について圧縮率の低い圧縮符号化処理を施す機能と、前記圧縮率の低い圧縮符号化処理が施された信号に所定の暗号化処理を施す機能と、前記高圧縮符号化処理が施された信号に前記暗号化処理が施された信号を重畳して送信する機能とを実現させるプログラムである。
【００１３】
請求項１０に記載の発明はコンピュータプログラムに関する発明であって、コンピュータに、請求項９のプログラムによって実現された送信信号を受信して該受信信号に含まれる高圧縮符号化処理を施された映像信号について伸長復号化処理を施す第１復号化機能と、前記受信信号に含まれる暗号化並びに低圧縮符号化処理を施された映像信号について暗号復号化処理並びに伸長復号化処理を施す第２復号化機能と、前記第１及び第２復号化機能の処理を施された各々の信号を加算する機能とを実現させるプログラムである。
【発明を実施するための最良の形態】
【００１４】
【実施例１】
【００１５】
本発明に基づく映像信号配信システムの第１の実施例を図１に示す。同図において、映像信号送信装置１０ａは、地上波や衛星、或いはＣＡＴＶ等のデジタル放送事業を運営する事業者の局舎内に設けられている。映像信号送信装置１０ａから送信された信号は、例えば、空間電波伝搬経路や同軸ケーブル等の信号伝送路３０を介して、デジタル放送番組の配信を受ける各視聴者の宅内に設けられた映像信号受信装置２０ａに伝送される。
【００１６】
映像信号送信装置１０ａは、入力映像信号について所定のマスク処理を施すマスク処理部１１、マスク処理部１１からの出力信号について高圧縮の画像信号圧縮処理を施す高圧縮エンコード部１２、及び高圧縮エンコード部１２において符号化された信号を再びデコードするデコード部１３を含んでいる。また、映像信号送信装置１０ａは、上記入力映像信号を所定時間遅延させる遅延部１５、遅延部１５からの出力信号と上記デコード部１３からの出力信号との差分信号を抽出する減算部１４、かかる差分信号について画像品質を維持すべく低圧縮の画像信号圧縮処理を施す高画質エンコード部１６、及び高画質エンコード部１６からの出力信号について所定の暗号化処理を施す暗号処理部１７を含んでいる。
【００１７】
高圧縮エンコード部１２並びに暗号処理部１７の各々からの出力信号は、例えば、時分割多重等の多重化方法によって同一の伝送チャネル内に多重されて、映像信号送信装置１０ａから所定の信号伝送路３０に送出される。なお、以下の説明においては、高圧縮エンコード部１２からの出力信号であるデータ列を無料ストリーム、暗号処理部１７からの出力信号であるデータ列を有料ストリームと称するものとする。
【００１８】
一方、映像信号受信装置２０ａは、受信信号に含まれる無料ストリームを復号するデコード部２１、デコード部２１の出力信号を所定時間遅延させる遅延部２５を含んでいる。さらに、映像信号受信装置２０ａは、上記受信信号に含まれる有料ストリームに施された暗号化を解読する暗号復号処理部２２、暗号復号処理部２２からの出力信号について圧縮された信号の復号を行うデコード部２３、及び上記デコード部２１からの出力信号とデコード部２３からの出力信号の各々を加算する加算部２４を含んでいる。
【００１９】
次ぎに、図１の映像信号配信システムにおける動作を説明する。なお、図１中において示されている画像ａ〜ｈの模式図は、映像信号送信装置１０ａ及び映像信号受信装置２０ａの各部における映像信号の表示画像を概念的に表したものである。因みに、各々の画像に施されたハッチングの密度が各画像の解像度を示しており、ハッチングの密度が高いほど画像品質が高いことを意味している。
【００２０】
先ず、映像信号送信装置１０ａの前段に設けられた配信画像生成装置（図示せず）から、視聴者に配信される画像ａ（以下“原画ａ”と称する）がマスク処理部１１に供給される。これと同時に、マスク処理部１１には所定のマスク画像ｂが、同じく本装置の前段に設けられたマスク視聴制御回路（図示せず）から供給される。
【００２１】
マスク画像ｂは、原画ａの画面中において視聴権の無い視聴者に見せたくない部分を遮蔽（マスク）するフレーム画像を意味している。例えば、表示画像を構成する各々の画素の輝度値が８ビット、即ち０〜２５５段階の階調ステップを有する場合、マスク画像ｂは、視聴権の無い視聴者に見せたくない部分、即ち遮蔽エリア（画像ｂの黒塗り部）の輝度値を０、見せても良い部分、即ち非遮蔽エリア（画像ｂの黒塗り部周囲）の輝度値を２５５としたフレーム画像である。
【００２２】
マスク処理部１１は、原画ａとマスク画像ｂとの対応する画素同士毎に輝度値の論理積（ＡＮＤ）をとって無料ストリーム原画像ｃを生成し、これを高圧縮エンコード部１２に供給する。高圧縮エンコード部１２は、かかる無料ストリーム原画像ｃについて符号圧縮率の高い信号圧縮処理を施して無料ストリームのデータ列を生成する。
【００２３】
無料ストリームのデータ列は、後述の有料ストリームのデータ列に多重されて映像信号送信装置１０ａから伝送路３０に送信され、同時にデコード部１３にも供給される。
【００２４】
デコード部１３は、無料ストリームをデコードして無料ストリームデコード画像ｄを生成する。なお、無料ストリームは、高圧縮エンコード部１２において高圧縮符号化が施されているため、デコード部１３によってデコードされたデコード画像ｄは、先の無料ストリーム原画像ｃに較べてその画像品質が低下している。因みに、デコード部１３におけるデコード処理は、後述する映像信号受信装置２０ａのデコード部２１における処理と同じであるので、デコード画像ｄは、映像信号受信装置２０ａにおいて視聴権の無い視聴者が見ることができる無料ストリーム再生画像ｆに相当するものとなる。
【００２５】
一般に、映像信号送信装置のエンコード部は処理動作の必要上、符号化されたエンコード信号を再デコードするローカル・デコーダを内蔵している。それ故、映像信号送信装置１０ａ内にデコード部１３を別途設けることなく、かかる内蔵ローカル・デコーダの出力信号を利用してデコード画像ｄを得るような構成としても良い。
【００２６】
一方、入力映像信号の原画ａは、遅延部１５にも供給されて遅延部１５で所定の遅延時間が付加された後、減算部１４に出力される。そして、減算部１４において、遅延部１５から供給された信号と、デコード部１３から供給されたデコード画像ｄとの差分信号が算出される。
【００２７】
かかる差分信号の画像は、原画ａとデコード画像ｄの各々において対応する画素成分同士の輝度値の減算値となるので、図１に示される画像ｅのようなパターンとなる。
【００２８】
すなわち、その遮蔽エリアにおいては、原画ａの輝度値からデコード画像ｄの遮蔽エリア（画像ｄの黒塗り部）の輝度値０が減算されるだけであるので、原画ａの該当エリアにおける輝度値がそのまま残留する（画像ｅのハッチング部）。一方、その非遮蔽エリアに関しても、原画ａとデコード画像ｄの各々において対応する画素成分同士の輝度値の減算が為される。ところで、デコード画像ｄは、無料ストリーム原画像ｃについて高圧縮信号処理を施した後にこれを再度デコードした画像である。それ故、デコード画像ｄは原画ａの低品質画像に相当し、非遮蔽エリアにおいては、デコード画像ｄと原画ａとの各々対応する画素成分同士の輝度値は近似した値となり両者間の減算結果はほとんど０となる（画像ｅの黒市松模様部）。即ち、画像ｅの黒市松模様部には、非遮蔽エリアにおける原画ａとデコード画像ｄとの輝度値の誤差成分のみが含まれることになり、その値は０に極めて近い値となる。
【００２９】
減算部１４の出力である差分信号（画像ｅ）は、高画質エンコード部１６に供給されてそこで信号圧縮処理が施される。高画質エンコード部１６では、かかる差分信号（画像ｅ）に対してその画像品質を維持すべく、高圧縮エンコード部１２に比較して低圧縮の画像信号圧縮処理を実施する。上述の如く、画像ｅの大部分を占める非遮蔽エリアは、原画ａとデコード画像ｄとの誤差成分のみでありその情報量自体が極めて少ない。それ故、低圧縮の画像信号圧縮処理を行った場合であっても、高画質エンコード部１６によってエンコードされたデータ列のデータ量は極めて少ないものとなる。
【００３０】
高画質エンコード部１６から出力されたデータ列は、暗号処理部１７において所定の暗号処理が施されて有料ストリームのデータ列となる。
【００３１】
映像信号送信装置１０ａは、かかる有料ストリームのデータ列と、高圧縮エンコード部１２からの出力信号である無料ストリームのデータ列とを、例えば、時分割多重等の多重化方法により１つの伝送チャネル内に多重して伝送路３０に送出する。
【００３２】
次ぎに、映像信号受信装置２０ａの動作について説明する。
【００３３】
映像信号受信装置２０ａでは、同装置を保有する視聴者における視聴権の有無によってその動作範囲が異っている。即ち、視聴権の無い視聴者の宅内に置かれた装置では、図１の一点鎖線で囲まれた部分（２００）のみが動作し、視聴権の有る視聴者宅内の装置では映像信号受信装置２０ａの全機能が動作する。
【００３４】
先ず、視聴権の無い視聴者の宅内に置かれた受信装置の場合、受信信号に含まれる無料ストリームは、デコード部２１によってデコード処理が施されて無料ストリーム再生画像ｆがデコードされる。かかるデコード処理は、映像信号送信装置１０ａのデコード部１３におけるデコード処理と同様であるので、デコード部２１からの無料ストリーム再生画像ｆは、映像信号送信装置１０ａのデコード画像ｄと同じになる。つまり、無料ストリーム再生画像ｆは、図１に示される如く、高圧縮エンコードによって原画ａに較べて画像品質の低下した画像であり、かつ画像中の遮蔽エリアがマスクされた画像となっている。そして、視聴権の無い視聴者は、この無料ストリーム再生画像ｆのみを視聴することができる。
【００３５】
一方、視聴権の有る視聴者の宅内に置かれた受信装置では、無料ストリーム再生画像ｆのデコード処理に加えて、受信信号に含まれる有料ストリームについての処理が行われる。即ち、有料ストリームのデータ列は、暗号復号処理部２２において、映像信号送信装置１０ａで施された所定の暗号化処理が解除される。そして、暗号化を解かれた有料ストリームは、次段のデコード部２３で所定のデコード処理が施されてデコード画像ｈが再生される。デコード部２３におけるデコード処理は、映像信号送信装置１０ａの高画質エンコード部１６におけるエンコード処理に対応しているので、デコード部２３からの出力であるデコード画像ｈは、高画質エンコード部１６の入力画像ｅと同様の画像になる。
【００３６】
視聴権の有る視聴者の宅内に置かれた受信装置の場合、デコード部２１からの無料ストリーム再生画像ｆは、さらに遅延部２５を経て所定の遅延時間が付加された後に加算部２４に供給される。一方、加算部２４にはデコード部２３からのデコード画像ｈも印加され、加算部２４において両画像信号の加算処理が行われる。ところで、遅延部２５の出力である画像ｇは、デコード部２１からの無料ストリーム再生画像ｆが、単に所定時間遅延されたものであるから画像ｆと同様であり、上述した如く映像信号送信装置１０ａにおけるデコード画像ｄと同様になる。
【００３７】
つまり、加算部２４において行われる画像ｈと画像ｇとの加算処理は、映像信号送信装置１０ａにおける画像ｅと画像ｄとの加算処理に等しく、この加算によって得られる画像ｉは原画ａに等しくなる。そして、視聴権を有する視聴者は、かかる原画ａに等しい高品質画像の画像ｉを視聴することができる。
【００３８】
すなわち、本実施例においては、無料ストリーム原画像ｃについて高圧縮符号化処理を施すので、その結果生成される無料ストリームのデータ量を低減させることができる。一方、画像ｅについては、高画質を維持すべく低圧縮符号化処理を施すが、画像ｅの大部分は非遮蔽エリアの誤差成分のみであるためその情報量は極めて少ない。それ故、低圧縮符号化処理を施してもそれによって生成される有料ストリームのデータ量も小さな値となる。従って、本実施例によれば、単純に低品質画面の無料ストリームと高品質画面の有料ストリームとを多重して伝送する場合に較べて、伝送すべきデータ量を縮減させることが可能となる。
【００３９】
以上に説明したように、本実施例に基づく映像信号の配信システムは、映像信号送信装置１０ａと映像信号受信装置２０ａを含んでいる。
【００４０】
そして、映像信号送信装置１０ａは、入力映像信号に含まれるフレーム画面の各々の一部が所定パターン画面となるように前記入力映像信号を遮蔽処理する遮蔽手段に相当するマスク処理部１１と、前記遮蔽処理の施された映像信号について圧縮率の高い圧縮符号化処理を施す第１圧縮符号化手段に相当する高圧縮エンコード部１２と、該圧縮符号化処理が施された映像信号と前記入力映像信号との差分信号を抽出する減算手段に相当する減算部１４と、前記差分信号について圧縮率の低い圧縮符号化処理を施す第２圧縮符号化手段に相当する高画質エンコード部１６と、前記第２圧縮符号化手段からの出力信号に所定の暗号化処理を施す暗号化手段に相当する暗号処理部１７とを含み、高圧縮エンコード部１２からの出力信号に前記暗号化処理が施された信号を重畳して送信する。
【００４１】
また、映像信号受信装置２０ａは、映像信号送信装置１０ａからの送信信号を受信して該受信信号に含まれる高圧縮符号化処理を施された映像信号について伸長復号化処理を施す第１復号化手段に相当するデコード部２１と、前記受信信号に含まれる暗号化並びに低圧縮符号化処理を施された映像信号について暗号復号化処理並びに伸長復号化処理を施す第２復号化手段に相当する暗号復号処理部２２及びデコード部２３と、前記第１及び第２復号化手段のそれぞれの出力信号を加算する加算手段に相当する加算部２４とを含んでいる。
【００４２】
本実施例に基づく映像信号の配信システムは、以上に説明した構成をとることによって、表示画面の一部に遮蔽処理の施された無料画像と遮蔽部分のない高品質の有料画像を同時に配信する際に、映像信号送信装置から映像信号受信装置に伝送すべきデータ量を低減させることができる。
【実施例２】
【００４３】
次に、本発明に基づく映像信号配信システムの第２実施例について、図２のブロック図参照しつつ説明を行う。
【００４４】
図２において、映像信号送信装置１０ｂは、地上波や衛星、或いはＣＡＴＶ等の放送事業を運営する事業者の局舎内に設けられている。映像信号送信装置１０ｂから送信された信号は、例えば、空間電波伝搬経路や同軸ケーブル等の信号伝送路３０を介して、デジタル放送番組の配信を受ける各視聴者の宅内に設けられた映像信号受信装置２０ｂに伝送される。
【００４５】
ところで、上述した第１実施例と以下に説明する第２実施例との相違は、映像信号送信装置１０ａ又は１０ｂにおいて為される画像の部分的遮蔽処理がマスク処理であるか或いはモザイク処理化であるかの相違だけである。それ故、以下の説明では第１実施例で既に解説した各構成要素に関する説明は省略する。
【００４６】
第２実施例において、映像信号送信装置１０ｂは、入力映像信号の表示画面について所定のモザイク処理を施すモザイク処理部１８、高圧縮エンコード部１２、デコード部１３、遅延部１５、減算部１４、高画質エンコード部１６、及び暗号処理部１７を含んでいる。また、映像信号受信装置２０ｂは、デコード部２１、遅延部２５、暗号復号処理部２２、デコード部２３、及び加算部２４を含んでいる。
【００４７】
次ぎに、図２の映像信号配信システムにおける動作を、映像信号送信装置１０ｂに供給される入力映像信号に施されるモザイク処理を中心に説明する。なお、図２中において示されている画像ａａ〜ｈｈの模式図は、それぞれが第１実施例における画像ａ〜ｈに対応するものである。
【００４８】
先ず、映像信号送信装置１０ｂの前段に設けられた配信画像生成装置（図示せず）から視聴者に配信される画像ａａ（以下“原画ａａ”と称する）がモザイク処理部１８に供給されるとモザイク処理部１８は同画像について所定のモザイク処理を施す。即ち、モザイク処理部１８は、原画ａａの画面中において視聴権の無い視聴者に見せたくない部分、即ち遮蔽エリア（画像ｃｃのモザイク模様部）をモザイク模様でカバーし、その回りの見せても良い部分、即ち非遮蔽エリア（画像ｃｃのモザイク模様部周囲）の輝度値を原画ａａのままとした無料ストリーム原画像ｃｃを生成する。
【００４９】
無料ストリーム原画像ｃｃは、高圧縮エンコード部１２に供給されて、高圧縮処理が施された無料ストリームのデータ列が生成される。無料ストリームのデータ列は、後述の有料ストリームのデータ列に多重されて映像信号送信装置１０ａａから信号伝送路３０に送信され同時にデコード部１３にも供給される。
【００５０】
デコード部１３は、無料ストリームを復号して無料ストリームデコード画像ｄｄを生成する。なお、無料ストリームは、高圧縮エンコード部１２において高圧縮符号化が為されているため、デコード部１３によってデコードされたデコード画像ｄｄは、先の無料ストリーム原画像ｃｃに較べてその画像品質が低下している。因みに、デコード部１３におけるデコード処理は、後述する映像信号受信装置２０ｂのデコード部２１における処理と同様であるので、デコード画像ｄｄは、映像信号受信装置２０ｂにおいて視聴権の無い視聴者が見ることができる無料ストリーム再生画像ｆｆに相当するものとなる。なお、デコード部１３は、高圧縮エンコード部１２に内蔵されているローカル・デコーダを利用する構成としても良い。
【００５１】
一方、原画ａａは、遅延部１５にも供給されて遅延部１５で所定の遅延時間が付加された後、減算部１４に出力される。減算部１４では、遅延部１５から供給された信号とデコード部１３から供給されたデコード画像ｄｄとの差分信号が算出される。
【００５２】
かかる差分信号の画像は、原画ａａとデコード画像ｄｄの各々において対応する画素成分同士の輝度値の減算値となるので、図２に示される画像ｅｅのようなパターンとなる。即ち、その遮蔽エリアに関しては、原画ａａの輝度値からデコード画像ｄｄのモザイク模様部の輝度が減算された輝度値となる（画像ｅｅのモザイク模様部）。一方、その非遮蔽エリアに関しても原画ａａとデコード画像ｄｄの各々において対応する画素成分同士の輝度値の減算が為される。
【００５３】
ところで、デコード画像ｄｄは、無料ストリーム原画像ｃｃについて高圧縮信号処理を施した後にこれを再度デコードした画像であり、原画ａａの低品質画像に相当する。それ故、その非遮蔽エリアにおいては、デコード画像ｄｄと原画ａａとの各々対応する画素成分同士の輝度値が近似した値となり、両者間の減算結果はほとんど０となる（画像ｅｅの黒市松模様部）。即ち、画像ｅｅの黒市松模様部には、非遮蔽エリアにおける原画ａａとデコード画像ｄｄとの誤差成分のみが含まれることになりその値は０に極めて近い値となる。
【００５４】
減算部１４の出力である差分信号（画像ｅｅ）は、高画質エンコード部１６に供給されて信号圧縮処理が施される。高画質エンコード部１６では、かかる差分信号（画像ｅｅ）に対してその画像品質を維持すべく、高圧縮エンコード部１２に比較して低圧縮の画像信号圧縮処理を実施する。上述の如く、画像ｅｅの大部分を占める非遮蔽エリアは、原画ａａとデコード画像ｄｄとの誤差成分のみでありその情報量自体が極めて少ない。それ故、低圧縮の画像信号圧縮処理を行った場合であっても、高画質エンコード部１６によってエンコードされたデータ列のデータ量は極めて少ないものとなる。
【００５５】
高画質エンコード部１６から出力されたデータ列は、暗号処理部１７に印加されて所定の暗号処理が施されて有料ストリームのデータ列が生成される。
【００５６】
映像信号送信装置１０ｂは、かかる有料ストリームのデータ列と、高圧縮エンコード部１２からの出力信号である無料ストリームのデータ列とを、例えば、時分割多重等の多重化方式によって１つの伝送チャネル内に多重して伝送路３０に送出する。
【００５７】
次ぎに、映像信号受信装置２０ｂの動作について説明する。
【００５８】
映像信号受信装置２０ｂでは、同装置を保有する視聴者における視聴権の有無によってその動作範囲が異っている。即ち、視聴権の無い視聴者の宅内に置かれた装置では、図２の一点鎖線で囲まれた部分２００のみが動作し、視聴権の有る視聴者宅内の装置では映像信号受信装置２０ｂの全機能が動作する。
【００５９】
先ず、視聴権の無い視聴者の宅内に置かれた受信装置の場合、受信信号に含まれる無料ストリームは、デコード部２１によってデコード処理が施されて無料ストリーム再生画像ｆｆが生成される。かかるデコード処理は、映像信号送信装置１０ｂのデコード部１３におけるデコード処理と同様であるので、デコード部２１からの無料ストリーム再生画像ｆｆは、映像信号送信装置１０ｂのデコード画像ｄｄと同じになる。つまり、無料ストリーム再生画像ｆｆは、図２に示される如く、高圧縮エンコードによって原画ａａに較べて画像品質の低下した画像であり、かつ画像中の遮蔽エリアに所定のモザイク処理された画像となる。そして、視聴権の無い視聴者は、かかる無料ストリーム再生画像ｆｆのみを視聴することができる。
【００６０】
一方、視聴権の有る視聴者の宅内に置かれた受信装置では、無料ストリーム再生画像ｆｆのデコード処理に加えて、受信信号に含まれる有料ストリームについての処理が行われる。即ち、受信信号に含まれる有料ストリームは、暗号復号処理部２２において映像信号送信装置１０ｂで施された所定の暗号処理が解除される。そして、暗号化を解かれた有料ストリームは、次段のデコード部２３で所定のデコード処理が施されてデコード画像ｈｈが再生される。なお、デコード部２３におけるデコード処理は、映像信号送信装置１０ｂの高画質エンコード部１６におけるエンコード処理に対応しているので、デコード部２３からの出力であるデコード画像ｈｈは、高画質エンコード部１６の入力画像ｅｅと同様の画像になる。
【００６１】
視聴権の有る視聴者の宅内に置かれた受信装置では、デコード部２１からの無料ストリーム再生画像ｆｆは、さらに遅延部２５を経て所定の遅延時間が付加された後に加算部２４に供給される。一方、加算部２４にはデコード部２３からのデコード画像ｈｈも印加され、加算部２４において両画像の加算処理が行われる。ところで、遅延部２５の出力である画像ｇｇは、デコード部２１からの無料ストリーム再生画像ｆｆが、単に所定時間遅延されたものであるから画像ｆｆと同じであり、上述した如く映像信号送信装置１０ｂにおけるデコード画像ｄｄと同様になる。
【００６２】
つまり、加算部２４において行われる画像ｈｈと画像ｇｇとの加算処理は、映像信号送信装置１０ｂにおける画像ｅｅと画像ｄｄとの加算処理に等しく、かかる加算によって得られる画像ｉｉは原画ａａに等しくなる。そして、視聴権を有する視聴者は、かかる原画ａａに等しい高品質画像の画像ｉｉを視聴することができる。
【００６３】
すなわち、本実施例においては、無料ストリーム原画像ｃｃについて高圧縮符号化処理を施すので、その結果生成される無料ストリームのデータ量を低減させることができる。一方、画像ｅｅについては、高画質を維持すべく低圧縮符号化処理を施すが、画像ｅｅの大部分は非遮蔽エリアの誤差成分のみであるためその情報量は極めて少ない。それ故、低圧縮符号化処理を施してもそれによって生成される有料ストリームのデータ量も小さな値となる。従って、本実施例によれば、単純に低品質画面の無料ストリームと高品質画面の有料ストリームとを多重して伝送する場合に較べて伝送すべきデータ量を縮減させることが可能となる。
【００６４】
また、本実施例では、マスク画面による遮蔽ではなくモザイク処理によって画面上の見せたくない部分の遮蔽を行うので、第１実施例に較べて各々の画面毎に任意の位置或いは任意の大きさで遮蔽を行うことができる。これによって、未契約視聴者の興味をさらに引きつけることが可能となり、有料デジタル放送の視聴契約の加入を促進するサービスとしての利用価値が増大する。
【００６５】
以上に説明したように、本実施例に基づく映像信号の配信システムは、映像信号送信装置１０ｂと映像信号受信装置２０ｂを含んでいる。
【００６６】
そして、映像信号送信装置１０ｂは、入力映像信号に含まれるフレーム画面の各々の一部が所定パターン画面となるように前記入力映像信号を遮蔽処理する遮蔽処理手段に相当するモザイク処理部１８と、該遮蔽処理の施された映像信号について圧縮率の高い圧縮符号化処理を施す第１圧縮符号化手段に相当する高圧縮エンコード部１２と、該圧縮符号化処理が施された映像信号と前記入力映像信号との差分信号を抽出する減算手段に相当する減算部１４と、前記差分信号について圧縮率の低い圧縮符号化処理を施す第２圧縮符号化手段に相当する高画質エンコード部１６と、前記第２圧縮符号化手段からの出力信号に所定の暗号化処理を施す暗号化手段に相当する暗号処理部１７とを含み、高圧縮エンコード部１２からの出力信号に前記暗号化処理が施された信号を重畳して送信する。
【００６７】
また、映像信号受信装置２０ｂは、映像信号送信装置１０ａからの送信信号を受信して該受信信号に含まれる受信信号に含まれる高圧縮符号化処理を施された映像信号について伸長復号化処理を施す第１復号化手段に相当するデコード部２１と、前記受信信号に含まれる暗号化並びに低圧縮符号化処理を施された映像信号について暗号復号化処理並びに伸長復号化処理を施す第２復号化手段に相当する暗号復号処理部２２及びデコード部２３と、前記第１及び第２復号化手段のそれぞれの出力信号を加算する加算手段に相当する加算部２４とを含んでいる。
【００６８】
本実施例に基づく映像信号の配信システムは、以上に説明した構成をとることによって映像信号送信装置から映像信号受信装置に伝送すべきデータ量を低減できるとともに、表示画面の一部に遮蔽処理の施された無料画像と、遮蔽部分のない高品質の有料画像を同時に配信することができる。
【００６９】
なお、以上に説明した第１及び第２の実施例では、原画に施すマスク画面或いはモザイク処理部の面積を有限な値として取り扱ったが、本発明の実施はかかる事例に限定されるものではない。例えば、マスク画面或いはモザイク処理部の面積を極小若しくはゼロとした場合の実施をも含むものとする。この場合、無料ストリームは、高圧縮の符号圧縮処理が施された低画質画面のデータ列となり、有料ストリームは、かかる低画質画面と原画との誤差成分について低圧縮符号圧縮処理が施されたデータ列となる。そして、視聴権の無い視聴者は無料ストリームの低画質画面のみを再生することができ、視聴権の有る視聴者は無料ストリームのデータ有料ストリームのデータとを併せて高画質画面を再生することができる。なお、この場合においても、送信装置から受信装置に送られるデータ量は、単純に低画質画像と高画質画像の各々をデコードして送信する場合に較べて削減することができる。
【００７０】
さらに、本発明の実施は以上に説明した各実施例に限定されるものではなく、例えば、インターネットなどのネットワークを利用した番組コンテンツのネット配信サービスにおいて、本発明に基づく映像信号配信システムを実施するようにしても良い。また、視聴者宅内の映像信号受信装置が、例えば、ハードディスク等記憶媒体を備えている場合は、分離して配信された有料ストリームと無料ストリームの各々を、かかる記憶媒体に一旦蓄積して視聴時に合成する構成を採るようにしても良い。
【００７１】
また、以上に説明した実施例では、有料ストリームと無料ストリームの各々を同一の伝送媒体に多重して送出する例を示したが、本発明の実施はかかる事例に限定されるものではない。例えば、無料ストリームは放送形式の配信型の伝送媒体で送出して、有料ストリームはインターネット等の通信型の伝送媒体で送出するようにしても良い。一般に、有料ストリームは視聴契約を結んだ特定の視聴者のみに伝送すればよいので、かかる送出方法を用いることにより、比較的に高コストの通信型の伝送媒体を介して行うデータ送出量を低減させることができる。
【図面の簡単な説明】
【００７２】
【図１】図１は、本発明の第１の実施例による映像信号配信システムの構成を示すブロック図である。
【図２】図２は、本発明の第２の実施例による映像信号配信システムの構成を示すブロック図である。
【符号の説明】
【００７３】
１０ａ，１０ｂ    映像信号送信装置
２０ａ，２０ｂ    映像信号受信装置
１１    マスク処理部
１２    高圧縮エンコード部
１３，２１，２３    デコード部
１４    減算部
１５，２５    遅延部
１６    高画質エンコード部
１７    暗号処理部
１８    モザイク処理部
２２    暗号復号処理部
２４    加算部
３０    信号伝送路
【図１】
2006121566.tif 000003
【図２】
2006121566.tif 000004